(57)【特許請求の範囲】
【請求項１】
複数チャンネルの放送信号を受信可能な受信部と、この受信部が受信した放送信号の受信強度を検波する検波部と、この検波部が検波した前記放送信号の受信強度に基づいて前記受信部を制御する制御部とを備え、
前記受信部は、受信した前記放送信号をＩＦ信号に変換するイメージリジェクション混合部を有し、
前記イメージリジェクション混合部は、受信した前記放送信号を互いに位相差を持った局部信号を受けることによってＩＦ信号に変換する第１混合部及び第２混合部と、前記第１混合部からのＩＦ信号と前記第２混合部からのＩＦ信号のうち少なくとも一方を移相する移相フィルタとを有し、
前記制御部は、チャンネルサーチ時に、前記第１混合部と前記第２混合部のうち一方を機能させることで、前記受信部に前記複数チャンネルの放送信号を受信させ、前記検波部が検波した前記複数チャンネルの放送信号の受信強度が前記所定レベル以上と判断した場合、前記複数チャンネルの放送信号のうち特定チャンネルの放送信号を個別に受信部に受信させる受信装置。
【請求項２】
複数チャンネルの放送信号を受信可能な受信部と、この受信部が受信した放送信号の受信強度を検波する検波部と、この検波部が検波した前記放送信号の受信強度に基づいて前記受信部を制御する制御部とを備え、
前記受信部は、受信した前記放送信号をＩＦ信号に変換するイメージリジェクション混合部を有し、
前記イメージリジェクション混合部は、受信した前記放送信号を互いに位相差を持った局部信号を受けることによってＩＦ信号に変換する第１混合部及び第２混合部と、前記第１混合部からのＩＦ信号を移相する第１移相フィルタと前記第２混合部からのＩＦ信号を移相する第２移相フィルタと、前記第１移相フィルタからのＩＦ信号と前記第２移相フィルタからのＩＦ信号とを合成する合成部とを有し、
前記制御部は、チャンネルサーチ時に、前記受信部に前記複数チャンネルの放送信号を受信させ、前記検波部が検波した前記複数チャンネルの放送信号の受信強度が前記所定レベル以上と判断した場合、前記複数チャンネルの放送信号のうち特定チャンネルの放送信号を個別に受信部に受信させ、
前記検波部は、前記チャンネルサーチ時に、前記合成部で合成される前の前記第１混合部からの信号と前記第２混合部からの信号のうちいずれか一方を検波する受信装置。
【請求項３】
前記受信部は、前記検波部の入力側に接続されると共に隣接するチャンネルの周波数間隔より広い帯域の放送信号を通過させるフィルタを有する請求項１又は請求項２に記載の受信装置。
【請求項４】
前記イメージリジェクション混合部は、前記第１混合部からのＩＦ信号を移相する第１移相フィルタと、前記第２混合部からのＩＦ信号を移相する第２移相フィルタと、
前記第１混合部からの信号と前記第２混合部からの信号とを選択的に入力し、これら入力されたＩＦ信号を前記第１移相フィルタと前記第２移相フィルタとに選択的に出力する信号経路選択部とを有する請求項１又は請求項２に記載の受信装置。
【請求項５】
前記移相フィルタはポリフェーズフィルタからなる請求項１に記載の受信装置。
【請求項６】
前記受信部は各々のチャンネルに対応する周波数帯の少なくとも一部を受信する請求項１又は請求項２に記載の受信装置。
【請求項７】
前記チャンネルサーチ時において前記受信部が受信する放送信号の周波数帯幅と、通常受信時における前記受信部が受信する放送信号の周波数帯幅とは略等しい請求項１又は請求項２に記載の受信装置。
【請求項８】
請求項１又は請求項２に記載の受信装置と、前記受信部の出力側に接続された復調部の出力側に接続された信号処理部と、前記信号処理部の出力側に接続された再生部とを備えた電子機器。
【請求項９】
前記制御部は、前記復調部で復調された放送信号に含まれる放送情報を読み取り、前記放送信号が正規の放送信号か否かを判定する請求項８に記載の電子機器。
【発明の詳細な説明】
【技術分野】
【０００１】
本発明は、放送信号を受信する受信装置とこれを用いた電子機器に関する。
【背景技術】
【０００２】
以下従来の受信装置について図１０を用いて説明する。図１０は、従来の電子機器のブロック図である。図１０において、受信装置１は、アンテナ２を介して放送信号を受信する受信部３と、この受信部３の出力側に接続された復調部４とを有する。また、受信装置１は、受信部３が受信した放送信号の受信強度を検波する検波部５と、この検波部５が検波した放送信号の受信強度に基づいて受信部３を制御する制御部６と、この制御部６に接続された記憶部７とを備える。なお、この受信装置１を搭載した電子機器８は、復調部４の出力側に接続された信号処理部９と、この信号処理部９の出力側に接続された再生部１０と、制御部６に接続された入力部１１とを有する。
【０００３】
次にこのような従来の受信装置１のチャンネルサーチ時における動作について説明する。
【０００４】
ユーザが入力部１１を用いてチャンネルサーチの指示を入力すると、制御部６がこの入力部１１からの信号を検知し、受信部３を第１チャンネルに設定する。これを受けて、受信部３が、アンテナ２で受信された複数チャンネルの放送信号のうちチャンネルＮの放送信号を選局し復調部４に出力する。そして、検波部５が受信部３からのチャンネルＮの放送信号の受信強度を検波し、制御部６に第１チャンネルの放送信号の受信強度情報を出力する。これを受けて、制御部６が検波部５からのチャンネルＮの放送信号の受信強度情報と所定レベルとを比較する。そして、制御部６が、上記比較の結果、受信部３で受信されたチャンネルＮの放送信号の受信強度が所定レベル未満と判断した場合、チャンネルＮの放送信号は受信不可能であるという情報を記憶部７に記録する。一方、制御部６が、上記比較の結果、受信部３で受信されたチャンネルＮの放送信号の受信強度が所定レベル以上と判断した場合、受信部３で選択されたチャンネルＮの放送信号を復調部４に復調させる。さらに制御部６は、復調部４が復調したチャンネルＮの放送信号に含まれる放送情報を読み取り、チャンネルＮの放送信号が正規の放送信号か否かを判定する。制御部６はこの判定の結果、チャンネルＮの放送信号が正規の放送信号ではない場合、チャンネルＮの放送信号は受信不可能であるという情報を記憶部７に記録する。一方、制御部６は判定の結果、チャンネルＮの放送信号が正規の放送信号である場合、チャンネルＮの放送信号は受信可能という情報を記憶部７に記録する。
【０００５】
そして、制御部６は、上記処理を全チャンネルに対して行い、記憶部７にチャンネルリストを作成する。この処理により、ユーザは、一度チャンネルサーチを行えば、再びチャンネルサーチを行わずとも、効率的に所望のチャンネルを選択できる。
【０００６】
なお、この出願の発明に関連する先行技術文献情報としては、例えば、特許文献１が知られている。
【特許文献１】特開２００４−１７９９２８号公報
【発明の開示】
【発明が解決しようとする課題】
【０００７】
従来の受信装置は、検波部５による検波処理を各々のチャンネルに対して個々に行うので、チャンネルサーチに長い時間を要するという問題があった。
【０００８】
そこで、本発明は、受信装置によるチャンネルサーチの時間を短縮することを目的とする。
【課題を解決するための手段】
【０００９】
この目的を達成するために本発明の受信装置は、複数チャンネルの放送信号を受信可能な受信部と、この受信部が受信した放送信号の受信強度を検波する検波部と、この検波部が検波した放送信号の受信強度に基づいて受信部を制御する制御部とを備える。また、受信部は、受信した前記放送信号をＩＦ信号に変換するイメージリジェクション混合部を有し、このイメージリジェクション混合部は、受信した前記放送信号を互いに位相差を持った局部信号を受けることによってＩＦ信号に変換する第１混合部及び第２混合部と、第１混合部からのＩＦ信号と第２混合部からのＩＦ信号のうち少なくとも一方を移相する移相フィルタとを有する。そして、この制御部は、チャンネルサーチ時に、第１混合部と第２混合部のうち一方を機能させることで、受信部に複数チャンネルの放送信号を受信させ、検波部が検波した複数チャンネルの放送信号の受信強度が前記所定レベル以上と判断した場合、複数チャンネルの放送信号のうち特定チャンネルの放送信号を個別に受信部に受信させる。
【発明の効果】
【００１０】
上記により、本発明の受信装置は、チャンネルサーチの時間を短縮することができる。
【発明を実施するための最良の形態】
【００１１】
（実施の形態１）
以下、本発明における実施の形態１について図面を用いて説明する。図１は本発明の実施の形態１における電子機器のブロック図である。
【００１２】
図１において、受信装置１２は、アンテナ１３を介して放送信号を受信する受信部１４と、この受信部１４の出力側に接続された復調部１５とを有する。また、受信装置１２は、受信部１４が受信した放送信号の受信強度を検波する検波部１６と、この検波部１６が検波した放送信号の受信強度に基づいて受信部１４を制御する制御部１７と、この制御部１７に接続された記憶部１８とを備える。なお、この受信装置１２を搭載した電子機器１９は、復調部１５の出力側に接続された信号処理部２０と、この信号処理部２０の出力側に接続された再生部２１と、制御部１７に接続された入力部２２とを有する。
【００１３】
受信部１４は、アンテナ１３を介して例えば地上波デジタル放送信号を受信する。この受信部１４は、アンテナ１３の出力側に接続されると共に隣接するチャンネルの周波数間隔より広い帯域の信号を通過させるフィルタ２３と、このフィルタ２３の出力側に接続された増幅部２４とを有する。また、受信部１４は、制御部１７に制御され局部信号を発振する局部信号発生部２５と、この局部信号発生部２５からの局部信号を受け、この局部信号に対し同位相の局部信号及びこの局部信号に対し９０度位相差を持った局部信号を出力する移相部２６とを有する。さらに、受信部１４は、この移相部２６からの一方の局部信号を用いて増幅部２４からの一方の出力信号をＩＦ信号に変換する第１混合部２７と、移相部２６からの他方の局部信号を用いて増幅部２４からの他方の出力信号をＩＦ信号に変換する第２混合部２８とを有する。さらにまた、受信部１４は、第１混合部２７の出力側に接続されたポリフェーズフィルタからなる第１移相フィルタ２９と、第２混合部２８の出力側に接続されたポリフェーズフィルタからなる第２移相フィルタ３０とを有する。さらに、受信部１４は、第１移相フィルタ２９からのＩＦ信号と第２移相フィルタ３０からのＩＦ信号とを合成する合成部３１を有する。また、受信部１４は、増幅部２４と第２混合部２８との間に接続されたスイッチ１０を有する。なお、移相部２６、第１混合部２７、第２混合部２８、第１移相フィルタ２９、第２移相フィルタ３０、及び合成部３１からイメージリジェクション混合部が構成される。
【００１４】
次に放送信号の通常受信時とチャンネルサーチ時における受信部１４の動作を、説明する。
【００１５】
まず、放送信号の通常受信時における受信部１４の動作について図２を用いて説明する。図２において、横軸は周波数を示し、チャンネルＮの周波数帯とチャンネルＮ＋１の周波数帯とが示されている。
【００１６】
通常受信時において、制御部１７は、チャンネルＮのうち希望周波数ωｒｆの所定セグメントを復調部１５に復調させるため、フィルタ２３の信号通過帯域を希望周波数ωｒｆを含む周波数帯３２に設定し、局部信号発生部２５の発振周波数を希望周波数ωｒｆより中間周波数分高い周波数ωｌｏに設定する。これにより、フィルタ２３から周波数帯３２の信号（ｃｏｓωｒｆｔ）が出力され、この信号が第１混合部２７及び第２混合部２８に供給される。第１混合部２７はフィルタ２３からの（ｃｏｓωｒｆｔ）の信号を周波数ωｌｏの局部信号（ｃｏｓωｌｏｔ）を用いて周波数ωｉｆ帯のＩＦ信号に周波数変換し、第２混合部２８はフィルタ２３からの（ｃｏｓωｒｆｔ）の信号を周波数ωｌｏの局部信号（ｓｉｎωｌｏｔ）を用いて周波数ωｉｆ帯のＩＦ信号に周波数変換する。このとき、第１混合部２７は、フィルタ２３において減衰し切れなかった周波数ωｉｍ帯の信号（ｃｏｓωｉｍｔ）も周波数ωｌｏの局部信号（ｃｏｓωｌｏｔ）によって、周波数ωｉｆ帯のイメージ妨害信号に周波数変換される。つまり、第１混合部２７の出力信号は、（数１）で示される希望信号及び（数２）で示されるイメージ妨害信号になる。同様に、第２混合部２８の出力信号は、（数３）で示される希望信号及び（数４）で示されるイメージ妨害信号になる。
【００１７】
【数１】
0004752603.tif 000002
【００１８】
【数２】
0004752603.tif 000003
【００１９】
【数３】
0004752603.tif 000004
【００２０】
【数４】
0004752603.tif 000005
【００２１】
そして、例えば、第１混合部２７の出力信号を移相度０度の低域通過フィルタである第１移相フィルタ２９に通し、第２混合部２８の出力信号を移相度９０度の低域通過フィルタである第２移相フィルタ３０に通すと、高周波成分は減衰し、（数１）は１／２ｃｏｓωifｔ、（数２）は１／２ｃｏｓωifｔ、（数３）は１／２ｃｏｓωifｔ、（数４）は−１／２ｃｏｓωifｔとなる。つまり、第１移相フィルタ２９の出力信号は、（１／２ｃｏｓωifｔ）で示される希望信号と（１／２ｃｏｓωifｔ）で示される妨害信号となり、第２移相フィルタ３０の出力信号は、（１／２ｃｏｓωifｔ）で示される希望信号と（−１／２ｃｏｓωifｔ）で示される妨害信号となり、合成部３１の出力信号は、（ｃｏｓωifｔ）で示される希望信号となる。
【００２２】
以上のように、本実施の形態１の受信部１４は、放送信号を通常受信時に、イメージ妨害信号を減衰させることによって高品質の希望信号を復調部１５に供給することができる。
【００２３】
次に、チャンネルサーチ時における受信部１４の動作について図３から図６を用いて説明する。図３に、チャンネルサーチ時における局部信号発生部２５の発振周波数を矢印で示す。図３に示すように、制御部１７は、チャンネルサーチ時に、局部信号発生部２５の発振周波数をチャンネルＮとチャンネルＮ＋１の間の周波数に設定することにより、受信部１４に２つのチャンネルの放送信号を同時に受信させる。
【００２４】
次に、チャンネルサーチ時における受信装置１２の動作を図４を用いて説明する。
【００２５】
ユーザから入力部２２を介してチャンネルサーチの指示を受けると、２つのチャンネルずつサーチできるように、制御部１７は、フィルタ２３の信号通過帯域を、図５に示すチャンネルＮの周波数ωｒｆｓとチャンネルＮ＋１の周波数ωｉｍｓの両方を含む周波数帯３３に設定する（Ｓ１）。なお、この周波数帯３３の幅は、通常受信時においてフィルタ２３が通過させる放送信号の周波数帯３２の幅と略等しい。制御部１７は、局部信号発生部２５の発振周波数をチャンネルＮとチャンネルＮ＋１との間の周波数ωｌｏｓに設定する。さらに、受信部１４のスイッチ１０をオフにすることによって、第２混合部２８及び第２移相フィルタ３０に供給される電源を遮断する。
【００２６】
これにより、第１混合部２７の出力信号は、（数１）で示されるチャンネルＮの信号及び（数２）で示されるチャンネルＮ＋１の信号になる。
【００２７】
【数５】
0004752603.tif 000006
【００２８】
【数６】
0004752603.tif 000007
【００２９】
これらの混合部の出力信号を移相度０度の低域通過フィルタである第１移相フィルタ２９を通すと、高周波成分は減衰し、（数５）は１／２ｃｏｓωifｔ、（数６）は１／２ｃｏｓωifｔとなる。つまり、合成部３１からの出力信号は、（１／２ｃｏｓωifｔ）で示されるチャンネルＮが周波数変換されたＩＦ信号と（１／２ｃｏｓωifｔ）で示されるチャンネルＮ＋１が周波数変換されたＩＦ信号となる。
【００３０】
以上のように、チャンネルサーチ時に、第１混合部２７と第２混合部２８のうち一方の機能をオンにし他方の機能をオフにすることでイメージリジェクション混合部のイメージ妨害信号除去機能をオフにすることができる。
【００３１】
これにより、Ｓ２にて、チャンネルＮとチャンネルＮ＋１の両方のチャンネルについて、放送信号が存在するか否かを検出することができると共に、受信装置１２の消費電力を低減することができる。
【００３２】
そして、制御部１７がチャンネルＮ及びチャンネルＮ＋１の放送信号の受信強度と予め設定されていた所定レベルとを比較する（Ｓ２）。そして、チャンネルＮ及びチャンネルＮ＋１の放送信号の受信強度が所定レベル以上か否かが記憶部１８に記録される（Ｓ３）。さらに、全チャンネルがサーチされているか否かが判断され（Ｓ４）、全チャンネルがサーチされていない場合、Ｓ１に戻り、制御部１７は、フィルタ２３の信号通過帯域をチャンネルＮ＋２の周波数とチャンネルＮ＋３の周波数の両方を含む周波数帯に設定すると共に、局部信号発生部２５の発振周波数をチャンネルＮ＋２とチャンネルＮ＋３との間の周波数に設定する。そして、制御部１７は、チャンネルＮ＋２とチャンネルＮ＋３についてＳ１からＳ４の処理を繰り返す。このように、全チャンネルについてＳ１からＳ４の処理が繰り返される。そして、Ｓ４にて、全チャンネルがサーチされていると判断された場合、Ｓ２にて受信強度が所定レベル以上であると判断されたチャンネルについて、制御部１７は、１チャンネルずつ個別に、チャンネルサーチ処理を行う（Ｓ５、Ｓ６）。具体的には、Ｓ２にてチャンネルＮまたはチャンネルＮ＋１の放送信号の受信強度が所定レベル以上と判断された場合、制御部１７は、例えば、図６に示すように、フィルタ２３の信号通過帯域をチャンネルＮの一部の周波数帯３４に設定し、局部信号発生部２５の発振周波数を希望周波数から中間周波数分離れた周波数ωｌｏａに設定する。そして、チャンネルＮの放送信号の受信強度が所定レベル以上か否かが記憶部１８に記録される（Ｓ７）。さらに、Ｓ２にて受信強度が所定レベル以上であると判断された全てのチャンネルについてサーチされているか否かが判断される（Ｓ８）。判断の結果、全チャンネルがサーチされていない場合、Ｓ５に戻り、制御部１７は、フィルタ２３の信号通過帯域をチャンネルＮ＋１の周波数帯の一部の周波数帯３５に設定し、局部信号発生部２５の発振周波数を希望周波数帯から中間周波数分離れた周波数ωｌｏｂに設定する。そして、制御部１７は、チャンネルＮ＋１についてＳ５からＳ８の処理を繰り返す。このように、Ｓ２にて受信強度が所定レベル以上であると判断された全てのチャンネルについてＳ５からＳ８の処理が繰り返される。そして、Ｓ８にて、全チャンネルがサーチされていると判断された場合、制御部１７はチャンネルサーチを終了する。
【００３３】
このように、まず２つのチャンネルごとにサーチを行い、次に、受信強度が所定レベル以上のチャンネルについて、１つのチャンネルずつサーチを行うことにより、チャンネルサーチの時間を短縮することができる。
【００３４】
なお、制御部１７は、図４のＳ６にて受信強度が所定レベル以上であると判断されたチャンネルの放送信号を復調部１５に復調させ、復調後の放送信号に含まれるＴＭＣＣ情報などの放送情報を読み取り、このチャンネルの放送信号が正規の放送信号か否かを判定しても良い。そして、制御部１７はこの判定の結果、この放送信号が正規の放送信号ではない場合、このチャンネルの放送信号は受信不可能であるという情報を記憶部１８に記録する。一方、このチャンネルの放送信号が正規の放送信号である場合、このチャンネルの放送信号は受信可能という情報を記憶部１８に記録する。これにより、さらに正確に各々のチャンネルが受信装置可能か否かを判定することができる。なお、復調部１５が復調した信号から放送情報を読み取る際、スイッチ１０がオンになることが望ましい。これにより、合成部３１が出力する信号からイメージ妨害信号を除去することができるため、さらに正確に各々のチャンネルが受信可能か否かを判定することができる。
【００３５】
（実施の形態２）
本発明の実施の形態２の受信装置を、図７を用いて説明する。実施の形態２における実施の形態１との相違点は、図４のＳ２において、検波部１６が合成部３１で合成される前の第１移相フィルタ２９からの信号と第２移相フィルタ３０からの信号のうちいずれか一方を検波することにより、イメージリジェクション混合部の機能をオフする点である。他の動作は実施の形態１と同様である。なお、検波部１６は、第１混合部２７と第１移相フィルタ２９との間の信号強度または第２混合部２８と第２移相フィルタ３０との間の信号強度を検波しても良い。
【００３６】
実施の形態２の受信装置１４は、実施の形態１のスイッチ１０を有さないので、通常受信時において第２混合部２８側の回路でスイッチによる放送信号の強度劣化を抑制することができる。このように、まず２つのチャンネルごとにサーチを行い、次に、受信強度が所定レベル以上のチャンネルについて、１つのチャンネルずつサーチを行うことにより、チャンネルサーチの時間を短縮することができる。
【００３７】
（実施の形態３）
本発明の実施の形態３について、図８を用いて説明する。実施の形態３における実施の形態１との相違点は、第１混合部２７からの信号と第２混合部２８からの信号とを選択的に入力し、これら入力された信号を第１移相フィルタ２９と第２の移相フィルタ３０とに選択的に出力する信号経路選択部３６が設けられている点である。
【００３８】
放送信号の通常受信時において、この信号経路選択部３６は、第１混合部２７の出力を第１移相フィルタ２９の入力に接続し、第２混合部２８の出力を第２移相フィルタ３０の入力に接続している。これによって、イメージリジェクション混合部の機能がオンになり、イメージ妨害信号が除去され、高品質の希望信号を復調部１５に供給することができる。
【００３９】
一方、チャンネルサーチ時の動作について図９を用いて説明する。
【００４０】
制御部１７は、ユーザからチャンネルサーチ指示を受けると、実施の形態１と同様にチャンネルＮの周波数ωｉｆｓとチャンネルＮ＋１の周波数ωｉｍｓの両方を受信するように設定する（Ｓ１）。しかし、制御部１７は、実施の形態１と異なり、第２混合部２８及び第２移相フィルタ３０とを機能させる。さらに、制御部１７は、信号経路選択部３６を上記通常受信時と同様に設定する。つまり、制御部１７は、第１混合部２７の出力を第１移相フィルタ２９の入力に接続し、第２混合部２８の出力を第２移相フィルタ３０の入力に接続する。これにより、イメージリジェクション混合部のイメージ妨害信号減衰機能をＯＮにすることでチャンネルＮ＋１の放送信号が減衰され、合成部３１の出力信号はチャンネルＮのみの信号が周波数変換されたものになる。検波部１６が合成部３１の出力信号を検波すれば、チャンネルＮの受信強度を検出する（Ｓ２ａ）。さらに、制御部１７でチャンネルＮの放送信号の受信強度と予め設定されていた所定レベルとが比較され、Ｓ３において、チャンネルＮの放送信号の受信強度が所定レベル以上か否かが記憶部１８に記録される（Ｓ３ａ）。
【００４１】
次に、制御部１７は、信号経路選択部３６を制御し、第１混合部２７の出力を第２移相フィルタ３０の入力に接続し、第２混合部２８の出力を第１移相フィルタ２９の入力に接続する。これにより、チャンネルＮの放送信号が減衰され、合成部３１の出力信号はチャンネルＮ＋１のみの信号が周波数変換されたものになる。そして、検波部１６が合成部３１の出力信号を検波すれば、チャンネルＮ＋１の受信強度を検出する（Ｓ２ｂ）。さらに、制御部１７でチャンネルＮ＋１の放送信号の受信強度と予め設定されていた所定レベルとが比較され、Ｓ３において、チャンネルＮ＋１の放送信号の受信強度が所定レベル以上か否かが記憶部１８に記録される（Ｓ３ｂ）。
【００４２】
このように、実施の形態３の受信装置１２は、局部信号発生部２５の１回の周波数設定で、チャンネルＮの放送信号の受信強度とチャンネルＮ＋１の受信強度とが所定レベル以上か否かについて個別に判定することが可能になる。その結果、実施の形態３の受信装置は実施の形態１と比較して長時間を必要とする局部信号発生部２５におけるロックアップタイムが減少するので、チャンネルサーチの時間を短縮することができる。
【産業上の利用可能性】
【００４３】
本発明の受信装置は、チャンネルサーチ時において、チャンネルサーチの時間を短縮することができ、携帯端末や車載用受信機器等の電子機器に利用できる。
【図面の簡単な説明】
【００４４】
【図１】本発明の実施の形態１における電子機器のブロック図
【図２】同電子機器の動作を説明するための周波数関係図
【図３】同電子機器の動作を説明するための周波数関係図
【図４】同電子機器のチャンネルサーチ時における動作フローチャート
【図５】同電子機器の動作を説明するための周波数関係図
【図６】同電子機器の動作を説明するための周波数関係図
【図７】本発明の実施の形態２における電子機器のブロック図
【図８】本発明の実施の形態３における電子機器のブロック図
【図９】同電子機器のチャンネルサーチ時における動作フローチャート
【図１０】従来の電子機器のブロック図
【符号の説明】
【００４５】
１３  アンテナ
１４  受信部
１５  復調部
１６  検波部
１７  制御部
１８  記憶部
１９  電子機器
２０  信号処理部
２１  再生部
２３  フィルタ
２４  増幅部
２５  局部信号発生部
２６  移相部
２７  第１混合部
２８  第２混合部
２９  第１移相フィルタ
３０  第２移相フィルタ
３１  合成部
【図１】
0004752603.tif 000008
【図２】
0004752603.tif 000009
【図３】
0004752603.tif 000010
【図４】
0004752603.tif 000011
【図５】
0004752603.tif 000012
【図６】
0004752603.tif 000013
【図７】
0004752603.tif 000014
【図８】
0004752603.tif 000015
【図９】
0004752603.tif 000016
【図１０】
0004752603.tif 000017